(57)【要約】【課題】フォーカルプレンシャッタにおいて、シャッタ羽根動作時に摩擦により発生する塵埃の飛散を抑制可能な構成とする。【解決手段】フォーカルプレンシャッタにおいて、開口部、及び第１回動軸を有する地板と、前記開口部を覆う状態と開放する状態とを切り替える第１羽根と、前記第１回動軸を中心に回動し、前記第１羽根の一端側に連結された第１アームと、前記第１アームを駆動する第１駆動ピンと、前記第１羽根の少なくとも他端側に重なるよう配置された第１羽根押さえ板と、を備え、前記第１羽根押さえ板は、前記第１羽根の移動領域に、粘着剤が配置された第１孔部を有する構成とする。【選択図】図１
2020020882.tif 000002
【特許請求の範囲】
【請求項１】
開口部、及び第１回動軸を有する地板と、
前記開口部を覆う状態と開放する状態とを切り替える第１羽根と、
前記第１回動軸を中心に回動し、前記第１羽根の一端側に連結された第１アームと、
前記第１アームを駆動する第１駆動ピンと、
前記第１羽根の少なくとも他端側に重なるよう配置された第１羽根押さえ板と、を備え、
前記第１羽根押さえ板は、前記第１羽根の移動領域に、粘着剤が配置された第１孔部を有する、
フォーカルプレンシャッタ。
【請求項２】
前記第１孔部は、複数の円状の孔である、
請求項１に記載のフォーカルプレンシャッタ。
【請求項３】
開口部、及び第１回動軸を有する地板と、
前記開口部を覆う状態と開放する状態とを切り替える第１羽根と、
前記第１回動軸を中心に回動し、前記第１羽根の一端側に連結された第１アームと、
前記第１アームを駆動する第１駆動ピンと、
前記第１羽根の少なくとも他端側に重なるよう配置された第１羽根押さえ板と、を備え、
前記第１羽根押さえ板は、前記第１羽根の移動領域に形成された円弧状の第１孔部を有する、
フォーカルプレンシャッタ。
【請求項４】
前記第１孔部は前記第１羽根の移動軌跡に沿って形成されていて、粘着剤が配置される、
請求項３に記載のフォーカルプレンシャッタ。
【請求項５】
前記第１孔部が貫通孔であり、
前記第１羽根押さえ板は、前記第１羽根に対向する面とは逆側の面に、前記第１羽根側に粘着面を有する粘着シートが貼付されている、
請求項１、請求項２または請求項４に記載のフォーカルプレンシャッタ。
【請求項６】
前記第１孔部が溝であって、前記溝の底部に前記粘着剤が配置されている、
請求項１、請求項２または請求項４に記載のフォーカルプレンシャッタ。
【請求項７】
前記地板は第２回動軸を有し、
前記開口部を覆う状態と開放する状態とを切り替える第２羽根と、
前記第２回動軸を中心に回動し、前記第２羽根の一端側に連結された第２アームと、
前記第２アームを駆動する第２駆動ピンと、
前記第２羽根の少なくとも他端側に重なるよう配置された第２羽根押さえ板と、を備え、
前記第２羽根押さえ板は、前記第２羽根の他端側における移動軌跡に、粘着剤が配置された第２孔部を有する、
請求項１から請求項６のいずれか１項に記載のフォーカルプレンシャッタ。
【請求項８】
請求項１から請求項７のいずれか１項に記載のフォーカルプレンシャッタを備える撮像装置。
【発明の詳細な説明】
【技術分野】
【０００１】
本発明の一態様は、カメラなどの撮像装置に用いられるフォーカルプレンシャッタなどに関する。
【背景技術】
【０００２】
シャッタ羽根によって開口部（露光開口とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。このようなフォーカルプレンシャッタでは、羽根の駆動に伴い各構成が互いに摺動して摩擦することにより摩耗粉などが発生し、羽根の走行空間に摩耗粉が侵入したり、摩耗粉が撮像素子に付着したりすることがある。羽根の走行空間に摩耗粉が侵入すると羽根の走行に影響を与える場合がある。また、撮像素子に摩耗粉が付着すると、撮像した画像の画質低下につながる場合がある。ところで、特許文献１には、シャッタ地板及び補助地板に貫通孔が形成され、粘着シートが取り付けられた構成が開示されている。特許文献２には、貫通孔を有する隣接板を備えた構成が開示されている。
【先行技術文献】
【特許文献】
【０００３】
【特許文献１】特開２００３−２８００６６号公報
【特許文献２】特開２０１５−１２５３７０号公報
【発明の概要】
【発明が解決しようとする課題】
【０００４】
フォーカルプレンシャッタでは、羽根と駆動機構との間にアームを介在させて羽根を駆動させるが、この際の羽根と他の部材との摺動で樹脂及び金属などの摩耗粉が発生する。特に、羽根の支点となるアームと羽根との連結部分から離れるほど、多くの摩耗粉が発生することが判ってきた。これは、羽根の支点となるアームと羽根との連結部分から離れるほど、羽根がばたつくことが原因であると考えられる。つまり、羽根と、羽根の先端部分を押さえる羽根押さえ板との間には動作時の摺動で大きな摩擦が生じることとなり、樹脂及び金属などの摩耗粉が比較的多く発生する。近年、さらなる品質の向上が求められており、このような摩耗粉の飛散を効果的に抑制する構成のフォーカルプレンシャッタが求められている。この点、特許文献１に記載の構成では、アームから離れた位置における、羽根と羽根押さえ板との摺動で発生する摩耗粉などの塵埃を十分に捕獲できない場合があった。また、特許文献２に記載の構成は、静電気の発生を低減させるための構成であって、そもそも摩耗粉などの塵埃を捕獲するという効果はあまり期待できなかった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の第１の手段は、
開口部（１ａ）、及び第１回動軸（１３、１４）を有する地板（１）と、
前記開口部を覆う状態と開放する状態とを切り替える第１羽根（４、５）と、
前記第１回動軸を中心に回動し、前記第１羽根の一端側に連結された第１アーム（６１、７１）と、
前記第１アーム（６１、７１）を駆動する第１駆動ピンと、
前記第１羽根の少なくとも他端側に重なるよう配置された第１羽根押さえ板（８１、８２、８３、８４）と、を備え、
前記第１羽根押さえ板は、前記第１羽根の移動領域に、粘着剤が配置された第１孔部（８１ａ、８２ａ、８３ａ１、８３ａ２、８４ａ）を有する、
フォーカルプレンシャッタである。
【０００７】
上記構成のフォーカルプレンシャッタによれば、第１羽根と羽根押さえ板とが摺動する位置の近傍に第１孔部が配置されるため、摺動により発生した摩耗粉が飛散して撮像素子に付着したり、駆動機構内に溜まったりすることを抑制することができる。これにより、摩耗粉に起因する羽根の動作不具合、及び撮像した画像の画質の低下を抑制することができる。
【０００８】
上記フォーカルプレンシャッタにおいて、好ましくは、
前記第１孔部は、複数の円状の孔（８１ａ、８２ａ）である。
【０００９】
上記構成のフォーカルプレンシャッタによれば、地板に対する加工により孔部を比較的簡易に形成することができるため、比較的簡易かつ低コストで、摩耗粉の飛散防止の構成を含む構成にすることができる。
【００１０】
本発明の第２の手段は、
開口部（１ａ）、及び第１回動軸（１３、１４）を有する地板（１）と、
前記開口部を覆う状態と開放する状態とを切り替える第１羽根（４、５）と、
前記第１回動軸を中心に回動し、前記第１羽根の一端側に連結された第１アーム（６１、７１）と、
前記第１アームを駆動する第１駆動ピンと、
前記第１羽根の少なくとも他端側に重なるよう配置された第１羽根押さえ板（８３、８４）と、を備え、
前記第１羽根押さえ板は、前記第１羽根の移動領域に形成された円弧状の第１孔部（８３ａ１、８３ａ２、８４ａ）を有する、
フォーカルプレンシャッタである。
【００１１】
上記構成のフォーカルプレンシャッタによれば、第１羽根と第１羽根押さえ板との摺動で発生する摩耗粉を、円弧状の第１孔部によって捕獲可能な構成にすることができる。これにより、摩耗粉の飛散を抑制することができる。特に長孔形状の第１孔部を有する構成にすると、第１孔部によって塵埃の飛散を抑制する効果が得られる。
【００１２】
上記フォーカルプレンシャッタにおいて、好ましくは、
前記第１孔部は前記第１羽根の移動軌跡に沿って形成されていて、粘着剤が配置される。
【００１３】
上記構成のフォーカルプレンシャッタによれば、円弧状の第１孔部によってより効果的に摩耗粉を捕獲可能な構成とすることができる。これにより、より効果的に摩耗粉の飛散を抑制することができる。
【００１４】
上記フォーカルプレンシャッタにおいて、好ましくは、
前記第１孔部が貫通孔であり、
前記第１羽根押え板は、前記第１羽根に対向する面とは逆側の面に、前記第１羽根側に粘着面を有する粘着シートが貼付されている。
【００１５】
上記構成のフォーカルプレンシャッタによれば、地板への貫通孔の形成加工及び粘着シートの貼付作業で摩耗粉の飛散防止を行うための構成とすることができる。これにより、比較的簡易かつ低コストで、摩耗粉の飛散防止の構成を含む構成にすることができる。
【００１６】
上記フォーカルプレンシャッタにおいて、好ましくは、
前記第１孔部が溝であって、前記溝の底部に前記粘着剤が配置されている、
【００１７】
上記構成のフォーカルプレンシャッタによれば、粘着シートを用いる構成と比較すると、粘着シートが剥がれ落ちたり、羽根の摺動に影響を与えたりすることを回避した構成にすることができる。
【００１８】
上記フォーカルプレンシャッタにおいて、好ましくは、
前記地板は第２回動軸を有し、
前記開口部を覆う状態と開放する状態とを切り替える第２羽根と、
前記第２回動軸を中心に回動し、前記第２羽根の一端側に連結された第２アームと、
前記第２アームを駆動する第２駆動ピンと、
前記第２羽根の少なくとも他端側に重なるよう配置された第２羽根押え板と、を備え、
前記第２羽根押え板は、前記第２羽根の他端側における移動軌跡に、粘着剤が配置された第２孔部を有する。
【００１９】
上記構成のフォーカルプレンシャッタによれば、例えば、先羽根及び後羽根の双方について、摩耗粉を捕獲して飛散を抑制した構成にすることができる。これにより、さらに効果的に摩耗粉の飛散を抑制することができる。
【００２０】
上記いずれかのフォーカルプレンシャッタは、カメラなどの撮像装置に好適に適用される。
【００２１】
上記のような撮像装置によれば、摩耗粉などの塵埃が飛散して駆動機構の特定部位に溜まったり、撮像素子に付着したりすることを抑制した構成にすることができる。これによって、摩耗粉に起因する動作不具合を防止しつつ、撮像装置で撮像される画像の品質の低下を抑制することなどが可能となる。
【図面の簡単な説明】
【００２２】
【図１】図１は、実施形態１における羽根走行前のフォーカルプレンシャッタの平面図である。
【図２】図２は、実施形態１における羽根走行後のフォーカルプレンシャッタの平面図である。
【図３】図３は、実施形態１のフォーカルプレンシャッタの断面図である。
【図４】図４は、実施形態１の先羽根用羽根押さえ板の平面図である。
【図５】図５は、実施形態１の後羽根用羽根押さえ板の平面図である。
【図６】図６は、実施形態２における羽根走行前のフォーカルプレンシャッタの平面図である。
【図７】図７は、実施形態２における羽根走行後のフォーカルプレンシャッタの平面図である。
【発明を実施するための形態】
【００２３】
本発明のフォーカルプレンシャッタは、デジタルカメラなどの撮像装置に利用されるものであり、フォーカルプレンシャッタの羽根の動作により発生する摩耗粉などの塵埃の飛散を捕獲して抑制するための羽根押さえ板の構成などに特徴のひとつを有する。
【００２４】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．本発明の特徴
４．補足事項
【００２５】
＜１．実施形態１＞
まず、本発明の実施形態１について具体的に説明する。図１及び図２は、本実施形態のフォーカルプレンシャッタの平面図であって、図１は羽根走行前の状態を示し、図２は羽根走行後の状態を示している。図３は、本実施形態のフォーカルプレンシャッタの断面図である。図４は、本実施形態のフォーカルプレンシャッタにおける先羽根用羽根押さえ板８１を示している。図５は、本実施形態のフォーカルプレンシャッタにおける後羽根用羽根押さえ板８２を示している。
【００２６】
図１及び図２に示されるように、本実施形態のフォーカルプレンシャッタは、地板１、カバー板２、中間板３、先羽根４、後羽根５、先羽根用主アーム６１、先羽根用従アーム６２、後羽根用主アーム７１、後羽根用従アーム７２、先羽根用羽根押さえ板８１、及び後羽根用羽根押さえ板８２を含んで構成される。図３の断面図に記載されたように、これらの構成は、カバー板２、先羽根用羽根押さえ板８１、先羽根４、中間板３、後羽根５、後羽根用羽根押さえ板８２、地板１の順に積層されて配置される。本明細書では、先羽根４及び後羽根５を「羽根」と総称することがある。先羽根用主アーム６１及び後羽根用主アーム７１を「主アーム」と総称することがある。先羽根用従アーム６２及び後羽根用従アーム７２を「従アーム」と総称することがある。また、主アームと従アームとを「アーム」と総称することがある。
【００２７】
＜地板１＞
地板１は、フォーカルプレンシャッタの基板部分であって、略矩形状の開口部１ａを有している。開口部１ａは、矩形以外の任意の形状であってもよい。図１及び図２に示されるように、地板１の開口部１ａの側方（図の左側）の後述する羽根室外には、先羽根４及び後羽根５を駆動する駆動部（図示省略）が搭載される。駆動部は、電磁アクチュエータまたはモータなどを備える従来同様の構成である。駆動部は、先羽根用主アーム６１及び後羽根用主アーム７１に連結された、動力を出力する駆動ピンを有し、これらの主アームを介して羽根に動力を伝達する。駆動部の具体的な構成については説明を省略する。
【００２８】
地板１は、図１、図２に示されるように、後述する羽根室内に先羽根用主アーム６１を回動可能に支持し、先羽根用主アーム６１の回動の中心となる回動軸１３を有する。地板１は、後述する羽根室内に後羽根用主アーム７１を回動可能に支持し、後羽根用主アーム７１の回動の中心となる回動軸１４を有する。回動軸１３及び１４は、例えば地板１に立設された軸状の構成である。地板１には、駆動部の駆動ピンの移動軌跡に沿って、貫通孔１１及び１２が形成されている。貫通孔１１及び１２は、それぞれ回動軸１３及び１４を中心として円弧状に延びる長孔であって、地板１を貫通している。貫通孔１１及び１２には、それぞれ先羽根４用の駆動ピンと後羽根５用の駆動ピンとが挿通される。
【００２９】
＜カバー板２＞
カバー板２は、地板１と対向する位置に、地板１に対して所定の間隔を空けて取り付けられる。カバー板２と地板１との間の空間が、先羽根４及び後羽根５を収容する羽根室となる。地板１とカバー板２とにより形成された空間、または地板１及びカバー板２と中間板３とにより形成された空間を、「羽根室」と称することがある。カバー板２は、フォーカルプレンシャッタが搭載された撮像装置において、撮像素子（図示省略）に近い位置に配置される。ただし、撮像素子の位置に対する地板１及びカバー板２の向きは任意に変更可能である。地板１とカバー板２との間の羽根室には、中間板３、先羽根４、後羽根５、先羽根用主アーム６１、先羽根用従アーム６２、後羽根用主アーム７１、後羽根用従アーム７２、先羽根用羽根押さえ板８１、及び後羽根用羽根押さえ板８２などが配置される。カバー板２は、地板１の開口部１ａに対向する位置に形成された開口部２ａを有する。開口部２ａは、開口部１ａと類似の矩形状であるが、完全な矩形状ではなくてもよいし、矩形以外の任意の形状であってもよい。
【００３０】
＜中間板３＞
中間板３は、地板１とカバー板２との間に配置される。中間板３と地板１との間には、後羽根５、後羽根用主アーム７１、及び後羽根用従アーム７２が収容される。中間板３とカバー板２との間には、先羽根４、先羽根用主アーム６１、及び先羽根用従アーム６２が収容される。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であってもよい。
【００３１】
＜先羽根４＞
先羽根４は、上記のようにカバー板２と中間板３との間の羽根室に配置される。先羽根４は、複数の板状部材４１〜４４からなり、リベットなどの連結具によって、先羽根用主アーム６１及び先羽根用従アーム６２の先端側から回動中心側に向けて順に連結される。先羽根４は、駆動部が配置された側（図の左側）の位置で、先羽根用主アーム６１及び先羽根用従アーム６２と連結される。先羽根４は、先羽根用主アーム６１を介して、先羽根用駆動ピン（図示省略）により駆動され、開口部１ａ、２ａ及び３ａにより形成される露光開口を覆う状態と開放する状態と（開閉状態）を切り替える。先羽根４及び後羽根５は、それぞれアルミニウムなどの金属、カーボンファイバー、または樹脂などの素材により形成されるが、これらの素材に限定されるものではない。
【００３２】
＜後羽根５＞
後羽根５は、上記のように地板１と中間板３との間の羽根室に配置される。後羽根５は、先羽根４と同様に複数の板状部材５１〜５４からなり、リベットなどの連結具によって、後羽根用主アーム７１及び後羽根用従アーム７２の先端側から回動中心側に向けて順に連結される。後羽根５は、駆動部が配置された側（図の左側）の位置で、後羽根用主アーム７１及び後羽根用従アーム７２と連結される。後羽根５は、後羽根用主アーム７１を介して、後羽根用駆動ピン（図示省略）により駆動され、開口部１ａ、２ａ及び３ａにより形成される露光開口を覆う状態と開放する状態と（開閉状態）を切り替える。
【００３３】
＜先羽根用主アーム６１＞
先羽根用主アーム６１は、先羽根４を駆動する。先羽根用駆動ピンと先羽根４との間に配置され、連結具によって先羽根４に連結される。これにより、先羽根用主アーム６１は、駆動部で発生した駆動力を、先羽根用駆動ピンを介して先羽根４に伝達する。先羽根用主アーム６１は、地板１の回動軸１３を中心として回転する。
【００３４】
＜後羽根用主アーム７１＞
後羽根用主アーム７１は、後羽根５を駆動するための構成であって、先羽根用主アーム６１と同様の構成である。後羽根用主アーム７１は、後羽根用駆動ピンと後羽根５との間に配置され、連結具によって後羽根５に連結される。これにより、後羽根用主アーム７１は、駆動部で発生した駆動力を、後羽根用駆動ピンを介して後羽根５に伝達する。後羽根用主アーム７１は、地板１の回動軸１４を中心として回転する。
【００３５】
＜先羽根用従アーム６２及び後羽根用従アーム７２＞
先羽根用従アーム６２は、上記のように先羽根４に連結される。先羽根用従アーム６２は、先羽根用主アーム６１と同様に、地板１の羽根室側の軸に回動自在に連結される。先羽根用従アーム６２は、駆動部から直接駆動力は与えられず、先羽根用主アーム６１の作動に合わせて作動する。後羽根用従アーム７２は、上記のように後羽根５に連結される。後羽根用従アーム７２は、後羽根用主アーム７１と同様に、地板１の羽根室側の軸に回動自在に連結される。後羽根用従アーム７２は、駆動部から直接駆動力は与えられず、後羽根用主アーム７１の作動に合わせて作動する。
【００３６】
＜先羽根用駆動ピン及び後羽根用駆動ピン＞
先羽根用駆動ピン及び後羽根用駆動ピンは、それぞれ電磁アクチュエータなどを含む駆動部に連結される。先羽根用駆動ピン及び後羽根用駆動ピンは、例えば金属で形成される。駆動部は、外部から与えられる電力によって作動して、先羽根用駆動ピン及び後羽根用駆動ピンに動力を伝達する。先羽根用駆動ピン及び後羽根用駆動ピンは、それぞれ先羽根用主アーム６１及び後羽根用主アーム７１を介して、先羽根４及び後羽根５を駆動して開口部１ａの開閉状態を切り替える。先羽根４及び後羽根５の走行作動については、従来構成と同様である。
【００３７】
駆動部は、先羽根用駆動ピン及び後羽根用駆動ピンに加え、例えば、永久磁石、ヨーク、コイル、及びコイルばねなどを含み、与えられた電力によって作動する。駆動部は、従来から知られる電磁アクチュエータ、またはモータを含む。
【００３８】
＜先羽根用羽根押さえ板８１＞
先羽根用羽根押さえ板８１は、先羽根４とカバー板２との間に配置される（図３参照）。先羽根用羽根押さえ板８１は、先羽根４のアームと連結された側とは逆側の端部の移動軌跡に重なるよう配置される。先羽根用羽根押さえ板８１は、アームと連結された側とは逆側における、先羽根４の端部の移動軌跡に重なる位置（先羽根４の移動領域）に、複数の円状の貫通孔８１ａを有する（図１、図２及び図４参照）。先羽根用羽根押さえ板８１の、先羽根４と対向する面とは逆側の面には、複数の貫通孔８１ａの形成領域を覆うよう広がる、粘着シート８１ｂが貼付されている（図３参照）。粘着シート８１ｂは、先羽根４側の面、すなわちカバー板２側とは逆側の面が粘着性を有する粘着面となっており、カバー板２側の面は粘着性を有さない。先羽根４側から見ると、先羽根用羽根押さえ板８１の複数の貫通孔８１ａの奥に、粘着シート８１ｂの粘着面が配置された構成となる。粘着シート８１ｂは、アームと連結された側とは逆側において、先羽根４の動作時の摺動等により発生した摩耗粉を捕獲する。
【００３９】
＜後羽根用羽根押さえ板８２＞
後羽根用羽根押さえ板８２は、後羽根５と地板１との間に配置される（図３参照）。後羽根用羽根押さえ板８２は、後羽根５のアームと連結された側とは逆側の端部の移動軌跡に重なるよう配置される。後羽根用羽根押さえ板８２は、アームと連結された側とは逆側における、後羽根５の端部の移動軌跡に重なる位置（後羽根５の移動領域）に、複数の円状の貫通孔８２ａを有する（図１、図２及び図５参照）。後羽根用羽根押さえ板８２の、後羽根５と対向する面とは逆側の面には、複数の貫通孔８２ａの形成領域を覆うよう広がる、粘着シート８２ｂが貼付されている（図３参照）。粘着シート８２ｂは、後羽根５側の面、すなわち地板１側とは逆側の面が粘着性を有する粘着面となっており、地板１側の面は粘着性を有さない。後羽根５側から見ると、後羽根用羽根押さえ板８２の複数の貫通孔８２ａの奥に、粘着シート８２ｂの粘着面が配置された構成となる。粘着シート８２ｂは、アームと連結された側とは逆側において、後羽根５の動作時の摺動等により発生した摩耗粉を捕獲する。
【００４０】
＜２．実施形態２＞
次に、本発明の実施形態２について具体的に説明する。本実施形態の構成は、実施形態１の構成と比較して、羽根押さえ板の構成が異なり、それ以外の構成は共通している。ここでは、実施形態１に対する相違点についてのみ説明し、共通点については説明を省略する。
【００４１】
図６及び図７は、本実施形態のフォーカルプレンシャッタの平面図であって、図６は羽根走行前の状態を示し、図７は羽根走行後の状態を示している。
【００４２】
図６及び図７に示されるように、本実施形態のフォーカルプレンシャッタの先羽根用羽根押さえ板８３及び後羽根用羽根押さえ板８４は、実施形態１の先羽根用羽根押さえ板８１及び後羽根用羽根押さえ板８２と異なる形状の貫通孔を有する。具体的には、先羽根用羽根押さえ板８３は、円弧状に延びる２つの貫通孔８３ａ１及び８３ａ２を有する。貫通孔８３ａ１及び８３ａ２は、各々、先羽根４を構成する板状部材４１及び４２、並びに４３及び４４のアームと連結された側とは逆側の端部の作動軌跡に形成されている。先羽根用羽根押さえ板８３の、先羽根４と対向する面とは逆側の面には、貫通孔８３ａ１及び８３ａ２の形成領域を覆うよう広がる、粘着シート８３ｂが貼付されている（図６参照）。
【００４３】
同様に、後羽根用羽根押さえ板８４は、円弧状に延びる貫通孔８４ａを有する。貫通孔８４ａは、板状部材５１〜５４からなる後羽根５において、アームと連結された側とは逆側の端部の移動軌跡に沿って形成されている。後羽根用羽根押さえ板８４の、後羽根５と対向する面とは逆側の面には、貫通孔８４ａの形成領域を覆うよう広がる、粘着シート８４ｂが貼付されている（図７参照）。
【００４４】
＜３．本発明の特徴＞
上記で実施形態１及び２として具体例を説明した本発明は、以下のような特徴を有する。
【００４５】
各実施形態のフォーカルプレンシャッタは、先羽根用羽根押さえ板８１または８３、及び後羽根用羽根押さえ板８２または８４を備え、これらの羽根押さえ板において、アームと連結された側とは逆側における、先羽根４または後羽根５の移動領域に貫通孔が形成され、粘着シート８１ｂ〜８４ｂが配置される。このような構成により、羽根と羽根押さえ板とが摺動する位置の近傍に、奥側に粘着シート８１ｂ〜８４ｂが配置された貫通孔８１ａ〜８４ａが配置されるため、羽根と羽根押さえ板を含む他構成との摺動により発生した摩耗粉が飛散して撮像素子に付着したり、駆動機構内に溜まったりすることを抑制することができる。これにより、摩耗粉に起因する羽根の動作不具合、及び撮像した画像の画質の低下を抑制可能な構成となっている。
【００４６】
各実施形態では、先羽根４及び後羽根５の双方について、貫通孔の形成された羽根押さえ板を採用する例を説明したが、いずれか一方についてのみ、貫通孔の形成された羽根押さえ板を採用してもよい。この場合であっても、摩耗粉の捕獲に一定の効果が得られる。このとき、先羽根４及び後羽根５のうち、撮像素子に近接して配置された方の羽根押さえ板に貫通孔及び粘着シートを配置すると、飛散した摩耗粉が撮像素子に付着することを抑制することができるため好ましい場合がある。
【００４７】
また、各実施形態において羽根押さえ板に形成された貫通孔は、実施形態１のような円状、実施形態２のような円弧状に限定されるものではなく、種々の形態の貫通孔を採用してもよい。この場合において、形成される貫通孔は、先羽根４及び後羽根５におけるアームと連結された側とは逆型の端部の移動軌跡周辺に沿った位置に配置されることが好ましい。
【００４８】
また、実施形態では羽根押さえ板には貫通孔が形成され、粘着シートが貼付されたが、羽根押さえ板に溝を形成し、溝の底部に粘着剤を配置するような構成としてもよい。このような構成は、粘着シートを用いる構成と比較すると、粘着シートが剥がれ落ちたり、羽根の摺動に影響を与えたりすることを回避した構成にすることができる。
【００４９】
一方で、粘着シートを用いる構成では、地板１への貫通孔の形成加工及び粘着シートの貼付作業で摩耗粉の飛散防止を行うための構成とすることができる。これにより、比較的簡易かつ低コストで、摩耗粉の飛散防止の構成を含む構成にすることができる。
【００５０】
なお、本明細書では、貫通孔及び溝を「孔部」と総称する。
【００５１】
実施形態１では、貫通孔として複数の円状の貫通孔８１ａ及び８２ａを形成する構成を採用している。このような構成では、地板１に対する加工により貫通孔を比較的簡易に形成することができるため、比較的簡易かつ低コストで、摩耗粉の飛散防止の構成を含む構成にすることができる。なお、上記同様、貫通孔に代えて、底部に粘着剤が配置された溝を採用してもよい。
【００５２】
実施形態２では、貫通孔として円弧状の貫通孔８３ａ１、８３ａ２及び８４ａを形成する構成を採用している。このような構成では、羽根と羽根押さえ板との摺動で発生する摩耗粉を効果的に捕獲可能な構成とすることができる。これにより、より効果的に摩耗粉の飛散を抑制することができる。
【００５３】
なお、実施形態２のように、先羽根用羽根押さえ板８３及び後羽根用羽根押さえ板８４の、先羽根４及び後羽根５の移動軌跡に沿って円弧状に形成された貫通孔８３ａ１、８３ａ２、及び／または８４ａを有する構成とする場合、必ずしも粘着シート８３ｂなどの粘着剤を配置しなくても、摩耗粉の飛散防止にある程度の効果が得られる。
【００５４】
本発明のフォーカルプレンシャッタは、撮像素子を備えるカメラなどの撮像装置に好適に適用される。本発明のフォーカルプレンシャッタを採用した撮像装置では、摩耗粉などの塵埃が飛散して駆動機構の特定部位に溜まったり、撮像素子に付着したりすることを抑制した構成にすることができる。これによって、摩耗粉に起因する動作不具合を防止しつつ、撮像装置で撮像される画像の品質の低下を抑制することなどが可能となる。
【００５５】
＜３．補足事項＞
以上、本発明の実施形態についての具体的な説明を行った。上記説明は、あくまで一具体例としての説明であって、本発明の範囲はこの実施形態に留まらず、当業者が把握可能な範囲にまで広く解釈されるものである。
【００５６】
また、実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であってもよい。
【００５７】
また、実施形態では先羽根４及び後羽根５を備えるフォーカルプレンシャッタについて説明したが、先羽根４または後羽根５のいずれか一方の羽根のみを備える構成を採用してもよい。その場合、実施形態のフォーカルプレンシャッタでは、中間板３を有する構成例を説明したが、中間板３を有さない構成を採用してもよい。
【産業上の利用可能性】
【００５８】
本発明は、デジタルカメラなどの撮像装置のフォーカルプレンシャッタなどとして好適に適用される。
【符号の説明】
【００５９】
１…地板
１ａ…開口部
１１、１２…貫通孔
１３、１４…回動軸
２…カバー板
２ａ…開口部
３…中間板
３ａ…開口部
４…先羽根
５…後羽根
６１…先羽根用主アーム
６２…先羽根用従アーム
７１…後羽根用主アーム
７２…後羽根用従アーム
８１、８３…先羽根用羽根押さえ板
８２、８４…後羽根用羽根押さえ板
８１ａ〜８４ａ…貫通孔
８１ｂ〜８４ｂ…粘着シート
【図１】
2020020882.tif 000003
【図２】
2020020882.tif 000004
【図３】
2020020882.tif 000005
【図４】
2020020882.tif 000006
【図５】
2020020882.tif 000007
【図６】
2020020882.tif 000008
【図７】
2020020882.tif 000009